(57)【特許請求の範囲】
【請求項１】
玄関出入口に連なるように玄関土間部を設け、この玄関土間部から段上がり状にフロアー部を設けた玄関構造であって、
前記フロアー部と前記玄関土間部との直線状の境界部分に沿うように、中央に収納壁部を設けるとともに、この収納壁部の両側にそれぞれが該収納壁部と略等しい幅寸法とされた一対の開口部を横並びに設け、
これら一対の開口部のうちのいずれか一方の開口部側に、前記玄関土間部を前記フロアー部側へ入り込ませるようにして連続的に延出させた補助土間部を設け、
前記収納壁部の前記玄関土間部側に向く面に沿うようにスライド自在に配設されるとともに前記収納壁部と略等しい幅寸法とされた一枚の引戸によって、前記一対の開口部を選択的に開閉可能としたことを特徴とする玄関構造。
【請求項２】
請求項１において、
前記引戸のスライド方向に対して略直交する方向に沿って、前記一対の開口部のうちの他方の開口部側の居室空間と前記補助土間部側とを仕切る居室側壁部を設け、この居室側壁部に居室出入口とこの居室出入口を開閉する扉とを設けたことを特徴とする玄関構造。
【請求項３】
請求項１または２において、
前記引戸をスライド自在に吊り下げ支持する上レール部材を、天井との間に前記玄関土間部側と居室空間側とを連通させる上側空間部が形成されるように前記収納壁部の前記玄関土間部側の上縁に沿うように設け、
前記引戸は、前記一方の開口部側において前記玄関土間部側と前記補助土間部側とを連通させる下側空間部が形成される高さ寸法とされていることを特徴とする玄関構造。
【請求項４】
請求項３において、
前記他方の開口部側の前記上側空間部を閉塞する閉塞部材を設けたことを特徴とする玄関構造。
【請求項５】
請求項１乃至４のいずれか１項において、
前記収納壁部の前記玄関土間部側に飾り棚状凹所を設ける一方、前記収納壁部の前記玄関土間部側とは反対側における前記飾り棚状凹所が設けられた部位とは異なる下側部位に収納凹所を設けたことを特徴とする玄関構造。
【発明の詳細な説明】
【技術分野】
【０００１】
本発明は、住居等の建物の玄関構造に関する。
【背景技術】
【０００２】
住居等の建物の玄関スペースは、家人の履物などが散乱しがちであり、来客時には、そのままでは見苦しく、整理等する必要があった。
このため、外部と玄関内空間とを連通させる２つの出入口を設け、玄関土間に目隠し家具や間仕切り部等を設けることで、各出入口と玄関ホール（玄関フロア）とをそれぞれに連通させる客人用通路と家人用通路とを区画した玄関構造が提案されている（例えば、下記特許文献１及び下記特許文献２参照）。これら各特許文献に記載された玄関構造は、使い勝手等の観点から両出入口と間仕切りの玄関土間側との間に互いに行き来できる通路を設けた構造とされている。
【０００３】
また、下記特許文献３では、収納キャビネットの天板に収納キャビネットより間口が広い三方枠の上枠を固定し、収納キャビネットの両側に通路を形成した収納装置を玄関スペースに間仕切りとして設置した例が開示されている。この収納装置では、上記上枠に、二枚の吊り戸を走行自在に吊り下げ、これら各吊り戸によって上記両通路のそれぞれの開閉がなされ、また、両吊り戸によって収納キャビネットの前面開口の開閉がなされる構成とされている。また、この収納装置の収納キャビネット及び両吊り戸によって玄関土間及びこの玄関土間から段上がり状に形成された玄関フロアーを設けた玄関スペースが間口方向に直交する方向に間仕切られ、その背部スペースを収納スペースとして利用できる構成としている。
【先行技術文献】
【特許文献】
【０００４】
【特許文献１】特開平８−１０５２２３号公報
【特許文献２】特開２００１−１３２２４５号公報
【特許文献３】特開２００２−１４２８８３号公報
【発明の概要】
【発明が解決しようとする課題】
【０００５】
しかしながら、上記特許文献１，２に記載された玄関構造では、両出入口と間仕切りの玄関土間側との間に互いに行き来できる通路を設けているため、家人用通路が客人の視界に入ることが考えられ、更なる改善が望まれていた。
また、上記特許文献３に記載された収納装置では、収納装置によって間仕切られた背部スペースを収納スペースとして利用できるものではあるが、玄関スペースを家人用と客人用とに見栄え良く区分するという観点や使い勝手の観点からは更なる改善が望まれていた。
【０００６】
本発明は、上記実情に鑑みてなされたものであり、建物の玄関スペースを見栄え良く家人用と客人用とに区分し得るとともに、使い勝手を向上させ得る玄関構造を提供することを目的としている。
【課題を解決するための手段】
【０００７】
上記目的を達成するために、本発明に係る玄関構造は、玄関出入口に連なるように玄関土間部を設け、この玄関土間部から段上がり状にフロアー部を設けた玄関構造であって、前記フロアー部と前記玄関土間部との直線状の境界部分に沿うように、中央に収納壁部を設けるとともに、この収納壁部の両側にそれぞれが該収納壁部と略等しい幅寸法とされた一対の開口部を横並びに設け、これら一対の開口部のうちのいずれか一方の開口部側に、前記玄関土間部を前記フロアー部側へ入り込ませるようにして連続的に延出させた補助土間部を設け、前記収納壁部の前記玄関土間部側に向く面に沿うようにスライド自在に配設されるとともに前記収納壁部と略等しい幅寸法とされた一枚の引戸によって、前記一対の開口部を選択的に開閉可能としたことを特徴とする。
【０００８】
本発明においては、前記引戸のスライド方向に対して略直交する方向に沿って、前記一対の開口部のうちの他方の開口部側の居室空間と前記補助土間部側とを仕切る居室側壁部を設け、この居室側壁部に居室出入口とこの居室出入口を開閉する扉とを設けてもよい。
また、本発明においては、前記引戸をスライド自在に吊り下げ支持する上レール部材を、天井との間に前記玄関土間部側と居室空間側とを連通させる上側空間部が形成されるように前記収納壁部の前記玄関土間部側の上縁に沿うように設け、前記引戸を、前記一方の開口部側において前記玄関土間部側と前記補助土間部側とを連通させる下側空間部が形成される高さ寸法としてもよい。
また、本発明においては、前記他方の開口部側の前記上側空間部を閉塞する閉塞部材を設けてもよい。
また、本発明においては、前記収納壁部の前記玄関土間部側に飾り棚状凹所を設ける一方、前記収納壁部の前記玄関土間部側とは反対側における前記飾り棚状凹所が設けられた部位とは異なる下側部位に収納凹所を設けてもよい。
【発明の効果】
【０００９】
本発明に係る玄関構造は、上述のような構成としたことで、建物の玄関スペースを見栄え良く家人用と客人用とに区分することができるとともに、使い勝手を向上させることができる。
【図面の簡単な説明】
【００１０】
【図１】本発明の一実施形態に係る玄関構造の一例を模式的に示す一部破断概略斜視図である。
【図２】（ａ）、（ｂ）は、いずれも同玄関構造を模式的に示す一部破断概略横断面図（平面図）である。
【図３】（ａ）は、図２（ａ）におけるＸ１−Ｘ１線矢視に対応させた一部破断概略縦断面図、（ｂ）は、図２（ｂ）におけるＸ２−Ｘ２線矢視に対応させた一部破断概略縦断面図である。
【図４】（ａ）は、図２（ａ）におけるＹ１−Ｙ１線矢視に対応させた一部破断概略縦断面図、（ｂ）は、図２（ｂ）におけるＹ２−Ｙ２線矢視に対応させた一部破断概略縦断面図である。
【図５】（ａ）は、図４（ａ）におけるＺ１部に対応させた一部破断概略拡大縦断面図、（ｂ）は、図４（ａ）におけるＺ２部に対応させた一部破断概略拡大縦断面図、（ｃ）は、図４（ｂ）におけるＺ３部に対応させた一部破断概略拡大縦断面図である。
【図６】同玄関構造の一変形例（第１変形例）を模式的に示す一部破断概略斜視図である。
【図７】同玄関構造の他の変形例（第２変形例）を模式的に示す一部破断概略斜視図である。
【図８】（ａ）は、第２変形例に係る玄関構造を模式的に示し、図３（ａ）に対応させた一部破断概略縦断面図、（ｂ）は、同玄関構造の更に他の変形例（第３変形例）を模式的に示し、図２（ａ）に対応させた一部破断概横断面図（平面図）である。
【発明を実施するための形態】
【００１１】
以下に本発明の実施の形態について、図面に基づいて説明する。
なお、一部の図では、他図に付している詳細な符号の一部を省略している。
また、以下の実施形態では、図２において玄関土間部側から収納壁部に対面した状態を基準として、手前側を前方、手前側の面を前面とし、その逆側をそれぞれ後方、背面（後面）として説明し、また、左右方向等の方向を原則的に説明する。
さらに、各図では、壁体や各扉体（引戸）等を模式的に示しており、後記する各空間、スペース等を区画するものであればどのような構造のものでもよい。
【００１２】
図１〜図５は、本実施形態に係る玄関構造の一例について説明するための概念的な説明図である。
本実施形態では、図１及び図２に示すように、住居等の建物２の壁体３，７によって区画された建物内空間に、本実施形態に係る玄関構造１を適用した例を示している。
建物２の屋外空間側に面する外側壁体３には、屋外と建物内空間とを連通させる玄関出入口４が設けられており、この玄関出入口４には、この玄関出入口４を開閉する玄関扉５が設けられている。図例では、玄関扉５として、一側部が開口枠に蝶番等の連結部材で連結支持された開き戸を示している。なお、玄関扉５を引戸等としてもよい。
【００１３】
玄関出入口４の後方側（建物内空間側）には、この玄関出入口４に連なるように玄関土間部１３が設けられている。この玄関土間部１３上の空間は、玄関土間部側の空間としての主玄関スペース８となる。
この玄関土間部１３の手前側は、玄関出入口４を設けた外側壁体３で区画されており、その左右両側は、それぞれ壁体（図例では、外側壁体３及び間仕切壁等の内側壁体７）によって区画されている。
この玄関土間部１３の後方側には、図１〜図４に示すように、この玄関土間部１３から段上がり状に形成されたフロアー部１５が設けられている。
【００１４】
また、この玄関土間部１３とフロアー部１５との直線状の境界部分に沿うように、中央に収納壁部３０を設けるとともに、この収納壁部３０の両側に一対の開口部２１，２２を横並びに設けている。図例では、左右方向に延びる玄関土間部１３とフロアー部１５との直線状の境界部分に沿うように、左右方向中央に収納壁部３０を設けた例を示している。また、この収納壁部３０の左側に一方の開口部としての家人用開口部２１を設け、収納壁部３０の右側に他方の開口部としての客人用開口部２２を設けた例を示している。これら一対の開口部２１，２２のそれぞれの幅寸法は、収納壁部３０の幅寸法と略等しい寸法とされている。また、収納壁部３０の玄関土間部１３側に向く面、つまり前面３０ａに沿うようにスライド自在に一枚の引戸４０を配設している。本実施形態では、この一枚の引戸４０によって、一対の開口部２１，２２を選択的に開閉可能としている。
【００１５】
また、家人用開口部２１側には、図２に示すように、玄関土間部１３をフロアー部１５側、つまり図例では、後方側へ入り込ませるようにして連続的に延出させた補助土間部１４を設けている。図例では、平面視して略方形状で左右に長い玄関土間部１３の左右一方側の略半分の部位を後方側に延設するようにして補助土間部１４を設け、この補助土間部１４と玄関土間部１３とによって平面視して略Ｌ字状の一連の土間部を形成している。
この補助土間部１４上の空間は、主玄関スペース８の後方側の居室空間の一部となり、また、補助土間部側の空間としての補助玄関スペース１０となる。また、客人用開口部２２側のフロアー部１５上の空間は、主玄関スペース８の後方側の居室空間の一部となり、客人用開口部側居室空間９となる。
収納壁部３０及び一対の開口部２１，２２は、これら居室空間としての客人用開口部側空間９及び補助玄関スペース１０と、主玄関スペース８とを区画するように設けられている。
【００１６】
これら収納壁部３０及び一対の開口部２１，２２は、図３に示すように、玄関土間部１３の左右両側を区画する外側壁体３及び内側壁体７と、天井６と、フロアー部１５及び補助土間部１４とによって区画された開口部２０に設けられている。
この開口部２０の左右両側には、一対の縦枠２７，２７が上下方向に沿って配設されている。これら縦枠２７，２７の上端は、本実施形態では、天井６に至ることなく天井６から空間を隔てて下方に位置している。フロアー部１５側に配設された縦枠２７は、内側壁体７に沿うように配設され、下端がフロアー部１５に当接している。補助土間部１４側に配設された縦枠２７は、外側壁体３に沿うように配設され、下端が補助土間部１４に当接している。収納壁部３０は、本実施形態では、その天板３４の上面がこれら縦枠２７，２７の上端と同高さ位置となるような高さ寸法とされている。なお、補助土間部１４側に配設された縦枠２７の下端を補助土間部１４に当接させずに、フロアー部１５側に配設された縦枠２７の下端と略同高さに位置させてもよい。
【００１７】
また、これら縦枠２７，２７間に架け渡されるようにして、引戸４０をスライド自在に吊り下げ支持する上レール部材としての上枠２５が配設されている。上枠２５は、長手方向両端部が縦枠２７，２７のそれぞれの上端に連結固定されている。この上枠２５は、図３及び図４に示すように、天井６との間に、主玄関スペース８側と居室空間９，１０側とを連通させる上側空間部２３を形成するように収納壁部３０の手前側の上縁に沿うように設けられている。本実施形態では、縦枠２７，２７の上端と同高さ位置とされた収納壁部３０の天板３４の上面の手前縁に上枠２５の長手方向途中部位を載置するようにして固定している（図５（ａ）も参照）。
【００１８】
家人用開口部２１は、図３（ｂ）に示すように、左右両側が左側の縦枠２７及び収納壁部３０の左側部によってそれぞれ区画され、上側が上枠２５によって区画され、下側が補助土間部１４によって区画されている。
客人用開口部２２は、図３（ａ）に示すように、左右両側が収納壁部３０の右側部及び右側の縦枠２７によってそれぞれ区画され、上側が上枠２５によって区画され、下側がフロアー部１５によって区画されている。
これら一対の開口部２１，２２の中央に配設された収納壁部３０は、本実施形態では、フロアー部１５と補助土間部１４とに跨るように設けられている。図例では、収納壁部３０の略右側半部をフロアー部１５上に位置させ、略左側半部を補助土間部１４上に位置させた例を示している。
【００１９】
収納壁部３０は、図１及び図４に示すように、主玄関スペース８側に向けて開口した飾り棚状凹所３２と、後方側、つまり主玄関スペース８側とは反対側の補助玄関スペース１０側に向けて開口した収納凹所３１，３３とを有している。本実施形態では、これら複数の凹所３１，３２，３３を水平方向で重合しないように、かつ、上下に隣接するように設けている。図例では、中段に飾り棚状凹所３２を設け、その上下に収納凹所３１，３３を設けた例を示している。つまり、収納壁部３０は、主玄関スペース８側に設けた飾り棚状凹所３２が設けられた部位とは異なる補助玄関スペース１０側における上側部位及び下側部位のそれぞれに上段収納凹所３１及び下段収納凹所３３を設けた構造とされている。
【００２０】
この収納壁部３０は、図３及び図４に示すように、天板３４、左右の側板３５，３５及び底板（地板）３６によって前後に開口する略箱形状とされ、その上下を複数枚の仕切板３７，３７によって区画することで、上下の各凹所３１，３２，３３を区画している。
上段収納凹所３１及び下段収納凹所３３の手前側（主玄関スペース８側）は、前板３８，３８によって閉塞され、これら前板３８，３８は、収納壁部３０の前面３０ａの化粧板となり、また、上段収納凹所３１及び下段収納凹所３３の背板となる。
飾り棚状凹所３２の後方側（補助玄関スペース１０側）は、後板３８Ａによって閉塞され、収納壁部３０の後面の化粧板となり、また、飾り棚状凹所３２の背板となる。
なお、このように各凹所の背板と収納壁部３０の前後面の化粧板とを兼用する態様に代えて、各凹所に別途、背板及び化粧板を設けるようにしてもよい。また、上段収納凹所３１及び下段収納凹所３３を区画する前板３８，３８の一方または両方を、開き戸としてもよい。これによれば、前面側からも上段収納凹所３１乃至は下段収納凹所３３に収納物を出し入れすることができる。
【００２１】
飾り棚状凹所３２には、当該飾り棚状凹所３２に陳列乃至は載置された物品を照らす照明３２ａが設けられている。
また、下段収納凹所３３には、複数枚の棚板３７Ａ，３７Ａが設けられ、さらに上下に区画されている。
また、この収納壁部３０の下端には、台輪３９が配設され、その略右側半部がフロアー部１５に載置されるようにして固定されている。台輪３９の略左側半部は、補助土間部１４から浮くように配置されている。収納壁部３０の略左側半部の下端には、補助土間部１４に接地された支持脚１７，１７が設けられ、補助土間部１４上に支持されている。支持脚１７，１７は、図４（ａ）に示すように、前後に間隔を空けて設けられており、その上端が台輪３９乃至は底板３６に固定されている。
【００２２】
上記のように、収納壁部３０は、主玄関スペース８側に飾り棚状凹所３２を設けているので、この飾り棚状凹所３２を利用して、絵画や写真、花瓶等の物品を飾ったり、鏡を設けたりすることができる。
また、収納壁部３０に上下の収納凹所３１，３３を設けているので、これら収納凹所３１，３３に靴等の履物や鞄等を収納することができる。また、これら収納凹所３１，３３は、補助玄関スペース１０側に向けて開口して設けられているので、これら収納凹所３１，３３に収納した物品を主玄関スペース８側から目立ち難くすることができる。
さらに、これら収納凹所３１，３３は、収納壁部３０の補助玄関スペース１０側における飾り棚状凹所３２が設けられた部位とは異なる部位の上下に設けられているので、収納壁部３０を効率的に薄型化することができ、玄関スペースを有効に利用することができる。
さらにまた、飾り棚状凹所３２を中段の目立ち易い目の高さ位置等に設け、その背面側の下側部位を下段収納凹所３３として利用でき、靴等を出し入れする際における使い勝手を向上させることができる。
なお、上段収納凹所３１を設けずに、下段収納凹所３３のみを補助玄関スペース１０側に設けた態様としてもよい。
【００２３】
引戸４０は、上端面が上枠２５の下面に近接対面し、下端面がフロアー部１５の上面に近接対面し、背面が収納壁部３０の前面３０ａに近接対面するように配設されている。本実施形態では、引戸４０の高さ寸法を、図３に示すように、収納壁部３０の高さ寸法と略同寸法としている。つまり、引戸４０は、フロアー部１５から上枠２５までの高さ寸法に応じた高さ寸法とされ、家人用開口部２１側では、補助土間部１４との間に、主玄関スペース８側と補助玄関スペース１０側とを連通させる下側空間部２４が形成される高さ寸法とされている。図例では、略左側半部を補助土間部１４から浮かせるように配設した収納壁部３０の下方側にも主玄関スペース８側と補助玄関スペース１０側とを連通させる下側空間部２４を形成した例を示している。
【００２４】
この引戸４０の上端部の戸幅方向（左右方向）両側端部近傍には、図３に示すように、ランナー部材４３，４３が連結固定されている。このランナー部材４３は、公知のもので、図５（ａ）に示すように、引戸４０の上端部に設けられたカップ部等に連結固定される連結固定部やこの連結固定部に回動自在に設けられた転動部（ローラー）４３ａ等を備えている。本実施形態では、上枠２５に埋め込まれるように設けられた上レール２６に、ランナー部材４３の転動部４３ａが転動自在に収容保持されて当該引戸４０が開閉自在に支持される上吊り構造とされている。
【００２５】
このような上吊り構造の引戸４０とすることで、下レールが不要となり、開放側下部の見栄えを向上させることができる。また、戸車等を下端に設けた下荷重構造とした場合において、フロアー部１５と補助土間部１４とに亘って開閉されるものとした場合には、段差が形成されるため、下レールの敷設が困難となる場合がある。また、玄関土間部１３に下レールを敷設することも考えられるが、見栄えが悪くなり、砂利等の噛み込み等の発生が考えられる。本実施形態のように、上吊り構造とすることで、開口部の下側に段差が形成されるような場合にも簡易な構造で引戸４０を設けることができる。
【００２６】
上レール２６は、図５（ａ）に示すように、上板部２６ａと、この上板部２６ａの幅方向両側縁から垂れ下がるように連成された両側板部２６ｂ，２６ｂとを備え、これらによって下方に向けて開口する形状とされている。この上レール２６の開口内にランナー部材４３の転動部４３ａ等が収容される。また、上レール２６の両側板部２６ｂ，２６ｂの下端縁には、当該上レール２６の幅方向内方側に向けて突出する案内片２６ｃ，２６ｃがそれぞれに設けられており、これら案内片２６ｃ，２６ｃに、ランナー部材４３の転動部４３ａが転動自在に支持される。
なお、この上レール２６の長手方向両端部には、長手方向外方側への引戸４０の移動を防止するストッパー片等のストッパー部が設けられている。
【００２７】
また、引戸４０の下端部には、図５（ｂ）、（ｃ）に示すように、下方に向けて開口したガイド凹溝４４が当該引戸４０の戸幅方向に沿って形成されている。このガイド凹溝４４には、引戸４０の下端側を開閉方向に沿ってガイドする下ガイド部２８，２９の各ガイドピン２８ｂ，２９ｂが挿入（遊挿）される。
下ガイド部２８，２９は、図１及び図２に示すように、引戸４０の移動軌跡に沿って間隔を空けて設けられており、図例では、２つの下ガイド部２８，２９を設けた例を示している。一方の下ガイド部２８は、客人用開口部２２を閉鎖した状態における引戸４０の戸尻側端部（図例では左側端部）４１の下方側に位置するように収納壁部３０の客人用開口部２２側手前角部の前方に配設されている。他方の下ガイド部２９は、家人用開口部２１を閉鎖した状態における引戸４０の戸尻側端部（図例では右側端部）４２の下方側に位置するように収納壁部３０の家人用開口部２１側手前角部の前方に配設されている。
【００２８】
客人用開口部２２側に設けられた下ガイド部２８は、マグネット式のガイド部とされている。この下ガイド部２８は、図５（ｃ）に示すように、フロアー部１５に埋め込まれるように配設されたガイドケース２８ａと、このガイドケース２８ａから出没自在とされたガイドピン２８ｂ，２８ｄとを備えている。ガイドピン２８ｂ，２８ｄは、筒状の外側ピン２８ｄとこの外側ピン２８ｄに嵌め込まれるように設けられた内側ピン２８ｂとからなる二段階伸縮構造とされている。内側ピン２８ｂの上端には、磁石２８ｃが埋め込まれている。この下ガイド部２８は、引戸４０のガイド凹溝４４に設けられた磁石乃至は鉄板等に内側ピン２８ｂの磁石２８ｃが吸引され、上方に向けて突出し、ガイド凹溝４４に挿入され、引戸４０の下端部側をガイドする。また、引戸４０が上方側に位置しない場合には、磁力による吸引がなくなり、自重によってガイドピン２８ｂ，２８ｄがガイドケース２８ａ内に没入し、当該下ガイド部２８とフロアー部１５とが僅かな段差となる。このようなマグネット式の下ガイド部２８を客人用開口部２２側に設けることで、目立ち難くなり、見栄えを向上させることができる。
【００２９】
家人用開口部２１側に設けられた下ガイド部２９は、図５（ｂ）に示すように、収納壁部３０の下端部（図例では、台輪３９）に固定されて設けられている。この下ガイド部２９は、収納壁部３０に後端が固定され、前方に向けて突出するように配設されたピン支持部２９ａと、このピン支持部２９ａの前端に上方に向けて突出するように固定的に形成されたガイドピン（固定ピン）２９ｂとを備えている。この固定ピン２９ｂは、上端部を先細り状に面取りした略円柱形状とされ、引戸４０のガイド凹溝４４に挿入され、引戸４０の下端部側をガイドする。
【００３０】
なお、上記では、２つの下ガイド部２８，２９を設けた例について説明したが、３つ以上の下ガイド部を設けるようにしてもよい。例えば、収納壁部３０の左右方向中央の前方や右側縦枠２７近傍に上記同様のマグネット式の下ガイド部２８を更に設けたり、左側縦枠２７近傍に上記同様の固定ピン２９ｂを有した下ガイド部２９を更に設けたりしてもよい。
また、マグネット式の下ガイド部２８に代えて、フロアー部１５上に固定的に設けられた固定ガイドピンを設けるようにしてもよい。さらには、これら各下ガイド部２８，２９は、上記した例に限られず、引戸４０の下端部側をガイド可能なものであればよい。
【００３１】
また、図例では、フロアー部１５の上框（図１参照）の後方側に下ガイド部２８を設け、これに応じて引戸４０及び引戸４０の背面側に位置する収納壁部３０の前面３０ａをフロアー部１５の立ち上り前面からやや後方側位置に配設した例を示しているが、これに限られない。例えば、上枠２５及び両縦枠２７，２７の前面がフロアー部１５の立ち上り前面と略同一平面状となるように、これら枠部材２５，２７，２７を配設し、図例よりも引戸４０及び収納壁部３０の前面３０ａを前方位置に配設するようにしてもよい。または、引戸４０の前面若しくは収納壁部３０の前面３０ａがフロアー部１５の立ち上り前面と略同一平面状となるように収納壁部３０及び引戸４０を配設するようにしてもよい。この場合は、客人用開口部２２側の下ガイド部を上記したような前方に向けて突出するピン支持部を有したものとし、適宜、フロアー部１５から前方に突出させるように設置する態様としてもよい。
【００３２】
引戸４０の両側端部４１，４２には、取手４５がそれぞれに設けられている。この取手４５としては、引戸４０の両側表面に、厚さ方向にそれぞれ形成された凹部に嵌め込まれて固定された凹状取手としてもよい。このような凹状取手４５とすることで、収納壁部３０の前面３０ａに沿うようにスライド移動されて開閉される引戸４０の背面と収納壁部３０の前面３０ａとの隙間（クリアランス）を、突出するようなハンドル等を設けた場合と比べて小さくすることができる。
なお、引戸４０の両側端部４１，４２のそれぞれに取手４５を設ける態様に代えて、いずれか一方の側端部のみに取手４５を設ける態様としてもよい。例えば、引戸４０の一側端部（図例では、左側端部（家人用開口部２１を閉鎖する際における戸先側端部））４１に設ける態様としてもよい。これによれば、家人用開口部２１を閉鎖させた状態では、取手４５が客人用開口部２２から比較的に遠くなり、取手４５を目立ち難くすることができる。さらには、このような取手４５を設けずに、例えば、引戸４０を、中央に明かり窓等の鏡板等を設けた框組状のものとし、その縦框部を手掛かりとする態様としてもよい。
【００３３】
上記構成とされた引戸４０が、図２（ａ）及び図３（ａ）に示すように家人用開口部２１を閉鎖した状態では、客人用開口部２２が開放される。この状態では、引戸４０の右側端部４２が収納壁部３０の左側の側板３５部分に前後方向で重合するように位置し、収納壁部３０の前面３０ａの略全体が開放される。
一方、引戸４０が、図２（ｂ）及び図３（ｂ）に示すように客人用開口部２２を閉鎖した状態では、家人用開口部２１が開放される。この状態では、引戸４０の左側端部４１が収納壁部３０の右側の側板３５部分に前後方向で重合するように位置し、収納壁部３０の前面３０ａの略全体が開放される。
【００３４】
また、本実施形態では、図１及び図２に示すように、引戸４０のスライド方向に対して略直交する方向に沿って、客人用開口部側居室空間９と補助玄関スペース１０とを仕切る居室側壁部４７，４８を設けている。この収納壁部４７，４８は、フロアー部１５から天井６に至る高さ寸法とされている。
また、本実施形態では、補助玄関スペース１０側にフロアー部１５の一部によって補助フロアー部１６が形成されるように、フロアー部１５上に居室側壁部４７，４８を設けている。このように、補助玄関スペース１０側に、補助土間部１４から段上がり状の補助フロアー部１６をフロアー部１５と一連に設けることで、家人が玄関上りとして利用でき、スムーズな出入が可能となり、使い勝手をより向上させることができる。
【００３５】
また、居室側壁部４７，４８には、居室出入口４９と、この居室出入口４９を開閉する扉５０とが設けられている。
居室出入口４９は、客人用開口部側居室空間９と補助玄関スペース１０とを連通させる出入口となり、図４に示すように、フロアー部１５から天井６に略至るように形成されている。つまり、本実施形態では、居室側壁部４７，４８が居室出入口４９を挟んで前後に分離するように設けられている。前方側の居室側壁部４８は、収納壁部３０の客人用開口部２２側の側面（右側面）に沿うように配設されており、その前端面が収納壁部３０の前面３０ａと略同一平面状となるように配設されている。また、この前方側の居室側壁部４８の前後寸法は、収納壁部３０の前後寸法と略同寸法乃至は収納壁部３０の前後寸法よりも僅かに大きい寸法とされている。
後方側の居室側壁部４７の後端には、引戸４０のスライド方向と同方向に沿って補助土間部１４側に向けて延びる後方壁部４６が連なるように設けられている。この後方壁部４６によって補助玄関スペース１０の後方側を区画している。
なお、図１及び図２において、符号１８は、靴等の収納棚などを備えた収納部である。
【００３６】
扉５０は、図４に示すように、後方側の居室側壁部４７の一方面（図例では、補助玄関スペース１０側の面）に沿うようにスライド移動される居室側引戸５０とされており、その上端部が天井６に近接した位置となるように支持される構造とされている。この居室側引戸５０は、天井６に埋め込まれるようにして設けられた上レール５３に、上端部に設けられた上記同様のランナー部材５１，５１の転動部が転動自在に収容保持されて支持される上吊り構造とされている。また、居室側引戸５０の下端部には、上記同様のガイド凹溝が設けられており、下端部側が、フロアー部１５（補助フロアー部１６）に設けられた上記同様の下ガイド部２８によってガイドされる。
居室出入口４９及び居室側引戸５０を上記構造とすることで、上記同様、下レールが不要となり、居室出入口４９の下部の見栄えを向上させることができる。また、居室側引戸５０を、図４（ｂ）に示すように、開放させれば、居室出入口４９が高さ方向に大きく開放される。一方、居室側引戸５０を、図４（ａ）に示すように、閉鎖させれば、略天井６までの高さの居室側引戸５０によって壁のような外観となり、当該居室側引戸５０が目立ち難くなり、見栄えを向上させることができる。
【００３７】
なお、図２及び図４において、符号５２は、上記同様の取手である。
また、居室出入口４９及び居室側引戸５０は、略天井までの高さとされたものに限られず、居室側壁部４７，４８に垂れ壁等を形成し、それに応じた高さ寸法とされたものとしてもよい。
さらに、図例では、居室側引戸５０を、居室側壁部４７の補助玄関スペース１０側の面に沿わせて設けた例を示しているが、居室側壁部４７の客人用開口部側居室空間９側の面に沿わせて設けるようにしてもよい。
また、居室側壁部４７の一方側の面に沿うように居室側引戸５０を納める、いわゆるアウトセット納めに限られず、居室側壁部４７に戸袋空間を設けて居室側引戸５０を収納可能とした戸袋納めとしてもよい。さらに、上吊り構造とされたものに限られず、下荷重構造とされたものとしてもよい。
【００３８】
さらには、居室出入口４９を開閉する扉としては、引戸に限られず、開き戸や折戸等としてもよい。または、開閉スクリーンとしてもよい。この場合は、居室出入口４９の上側を区画する天井や開口枠等に開閉スクリーンの巻取機構を設け、この巻取機構によって上下方向に巻き取り及び繰り出し可能なロールスクリーン式の開閉スクリーンとしてもよい。また、例えば、プリーツスクリーンやブラインドカーテン、シェードカーテン、その他のカーテンなどの開閉可能でかつ遮蔽可能な遮蔽開閉部材を居室出入口４９を開閉する扉として採用するようにしてもよい。つまり、主玄関スペース８や客人用開口部側居室空間９から補助玄関スペース１０がある程度、視覚的に遮蔽されるものであれば、どのような扉（遮蔽開閉部材）を採用するようにしてもよい。
【００３９】
上記構造とされた本実施形態に係る玄関構造１は、引戸４０及び居室側引戸５０を開閉させることで、以下のような態様で使用するようにしてもよい。
図２（ａ）、図３（ａ）及び図４（ａ）に示すように、引戸４０をスライドさせて、家人用開口部２１を閉鎖させて客人用開口部２２を開放させ、また、居室側引戸５０をスライドさせて、居室出入口４９を閉鎖させる。
この状態では、図２（ａ）に示すように、玄関出入口４とリビング等に通じる客人用開口部側居室空間９とが、主玄関スペース８及び客人用開口部２２を介して連通し、客人用通路１２が形成される。また、補助玄関スペース１０が、主玄関スペース８側及び客人用開口部側居室空間９側から概ね隠蔽された状態となる。
【００４０】
一方、図２（ｂ）、図３（ｂ）及び図４（ｂ）に示すように、引戸４０をスライドさせて、客人用開口部２２を閉鎖させて家人用開口部２１を開放させ、また、居室側引戸５０をスライドさせて、居室出入口４９を開放させる。
この状態では、図２（ｂ）に示すように、玄関出入口４とリビング等に通じる客人用開口部側居室空間９とが、主玄関スペース８、家人用開口部２１、補助用玄関スペース１０及び居室出入口４９を介して連通し、家人用通路１１が形成される。
このように本実施形態では、引戸４０及び居室側引戸５０を開閉させることで、家人用通路１１と客人用通路１２とを選択的に容易に形成することができる。
【００４１】
上記構造とされた本実施形態に係る玄関構造１によれば、建物２の玄関スペースを見栄え良く家人用と客人用とに区分することができるとともに、使い勝手を向上させることができる。
つまり、中央に収納壁部３０を設け、その両側に一対の開口部２１，２２を設けているので、上述のように一方を家人用開口部２１、他方を客人用開口部２２として利用することができ、また、中央の収納壁部３０を収納として利用することができ、使い勝手が良い。
また、これら一対の開口部２１，２２を選択的に開閉可能な一枚の引戸４０を設けた構造としているので、この引戸４０によって一方の開口部を閉鎖させれば、他方の開口部が開放されて通路として利用でき、使い勝手を向上させることができる。つまりは、引戸４０を、各開口部２１，２２を開閉する共通の扉として利用でき、状況に応じた選択的な利用が容易に可能となる。また、これにより、玄関スペースを一枚の引戸４０と収納壁部３０とによって簡易な構造で家人用と来客用とに区分することができる。
【００４２】
さらに、家人用開口部２１側に、玄関土間部１３をフロアー部１５側へ入り込ませるようにして連続的に延出させた補助土間部１４を設けているので、この補助土間部１４を家人用の玄関土間として利用することができる。従って、この補助土間部１４に家人の履物等を並べることができる。また、キャスター付きのバッグや荷台、ゴルフバッグ等をスムーズに出し入れすることができ、これらを補助玄関スペース１０に収納することもできる。
また、家人用開口部２１を引戸４０によって閉鎖させれば、主玄関スペース８側から補助土間部１４が目立ち難くなり、補助土間部１４上の補助玄関スペース１０を主玄関スペース８側から見栄え良く区分することができる。
【００４３】
さらにまた、引戸４０は、収納壁部３０の前面３０ａに沿うようにスライド自在に配設されるとともに収納壁部３０と略等しい幅寸法とされている。従って、いずれかの開口部を閉鎖させた状態では、主玄関スペース８側において、引戸４０と収納壁部３０との段差が目立ち難くなる。また、略等しい幅寸法とされた引戸４０と前面３０ａの略全体が開放された収納壁部３０とが両隣となり、すっきりとした印象を与えることができる。
また、本実施形態では、このように前面３０ａの略全体が開放される収納壁部３０の主玄関スペース８側に飾り棚状凹所３２を設けているので、この飾り棚状凹所３２を利用して種々の物品を見栄え良く飾ることができる。
さらには、引戸４０を収納壁部３０と前後方向（引戸４０の厚さ方向）で略一致する位置に配置することもでき、この状態では、両側の開口部２１，２２を開放させることもできる。これによれば、来客予定等がない場合には、両側の開口部２１，２２を開放させることで、家人の使い勝手を向上させることもでき、また、通気性を向上させることもできる。
【００４４】
また、本実施形態では、玄関出入口４が設けられた外側壁体３に前面３０ａが対面するように収納壁部３０を配置し、玄関出入口４と収納壁部３０とを前後方向で互いの少なくとも一部を重合させるように配置している。従って、玄関出入口４側から収納壁部３０の飾り棚状凹所３２を目立ち易くすることができる。また、このような配置態様によれば、玄関出入口４と各開口部２１，２２との距離を比較的に短くすることができ、客人及び家人のいずれにとっても使い勝手が良いものとなる。
【００４５】
また、本実施形態では、客人用開口部側居室空間９と補助玄関スペース１０とを仕切るとともに、居室出入口４９及び居室側引戸５０を設けた居室側壁部４７，４８を設けている。従って、客人用通路１２を形成した状態では、これら居室側壁部４７，４８及び居室側引戸５０によって、客人用開口部側居室空間９側から補助玄関スペース１０が概ね隠蔽され、客人用開口部側居室空間９側からも補助玄関スペース１０を目立ち難くすることができる。また、この結果、補助玄関スペース１０を、収納スペースとして有効に利用することもできる。
また、居室出入口４９を開放させれば、この居室出入口４９を介して家人用開口部２１と客人用開口部側居室空間９とを連通させることができるので、家人用通路１１を確保することができる。
【００４６】
また、本実施形態では、上枠２５と天井６との間に上側空間部２３を設け、引戸４０が家人用開口部２１を閉鎖した状態で引戸４０の下端と補助土間部１４との間に下側空間部２４が形成される構造としている。従って、これら上側空間部２３及び下側空間部２４を介して補助玄関スペース１０側の空気を換気でき、補助土間部１４に置かれた靴等や、補助玄関スペース１０に収納された靴やスポーツ用品等の収納物の臭気が補助玄関スペース１０側に篭り難くなる。なお、これら上側空間部２３及び下側空間部２４の上下寸法は、玄関土間部１３からフロアー部１５までの高さ寸法と略同寸法程度としてもよく、通気性や見栄え等の観点から、３ｃｍ〜３０ｃｍ程度の寸法としてもよい。
【００４７】
次に、本実施形態に係る玄関構造の変形例について図６〜図８に基づいて説明する。
なお、以下の各変形例では、上記した例との相違点について主に説明し、同様の構成については、同一符号を付し、その説明を省略または簡略に説明する。
【００４８】
図６は、第１変形例に係る玄関構造１Ａを示し、本変形例では、開口部２０の両側に縦枠を設けずに、上枠２５のみを配設した例を示している。上記したように、収納壁部３０の天板３４の上面に上枠２５の長手方向途中部位を載置するようにして固定しているので、上枠２５が長尺である場合にも支持が可能となり、本変形例のように縦枠を設けない構造とすることもできる。
本変形例によれば、収納壁部３０の両側の各開口部２１Ａ，２２Ａの一側部が縦枠ではなく壁仕上げ面となるので、すっきりとした印象を与えることができ、見栄えをより向上させることができる。また、下側空間部２４Ａにも縦枠がないためすっきりとした印象を与えることができる。
【００４９】
図７及び図８（ａ）は、第２変形例に係る玄関構造１Ｂを示し、本変形例では、客人用開口部２２側の上側空間部を閉塞する閉塞部材５４を設けた例を示している。この閉塞部材５４は、板状乃至は壁状とされ、その上下端部が天井６及び上枠２５に当接するように、左右端部が前方側の居室側壁部４８及び内側壁体７に当接するように配設されている。
つまり、本変形例では、収納壁部３０及び家人用開口部２１の上方側に上側空間部２３Ａを設け、客人用開口部２２側には上側空間部を設けない構造としている。これによれば、引戸４０及び居室側引戸５０によって客人用開口部２２及び居室出入口４９をそれぞれ閉鎖させれば、リビング等に通じる客人用開口部側居室空間９側から主玄関スペース８及び補助玄関スペース１０を略遮断できる。これにより、客人用開口部側居室空間９側の気密性を向上させることができ、また、玄関側の臭気（空気）が客人用開口部側居室空間９側に流入することを抑制することができる。
なお、本変形例において説明した閉塞部材５４を、第１変形例に係る玄関構造１Ａに適用するようにしてもよい。
【００５０】
図８（ｂ）は、第３変形例に係る玄関構造１Ｃを示し、本変形例では、フロアー部１５の手前側に収納壁部３０を載置する部位を形成するように、補助土間部１４側に張り出す張出フロアー部１９を設けた例を示している。つまり、本変形例では、収納壁部３０の下端に支持脚を設けずに、収納壁部３０の下端の全体をフロアー部１５及び張出フロアー部１９に接地させるようにして収納壁部３０を設置した例を示している。これによれば、収納壁部３０を安定的に設置することができるとともに、上記した例のように収納壁部３０の下方側に下側空間部が形成されることもなく、見栄えを向上させることができる。
また、このような張出フロアー部１９を設けることで、家人用開口部２１側の下ガイド部として、上記同様のマグネット式の下ガイド部２８を採用することができる。
【００５１】
なお、本変形例において説明した張出フロアー部１９を、上記各変形例に係る玄関構造１Ａ，１Ｂに適用するようにしてもよい。
また、上記した各例では、収納壁部３０の下端の高さ位置をフロアー部１５と略同高さ位置とした例を示しているが、玄関土間部１３（補助土間部１４）に収納壁部３０の下端の全体を接地させるようにして収納壁部３０を設置するようにしてもよい。この場合は、適宜、フロアー部１５に収納壁部３０を受け入れる切欠部等を設けるようにしてもよい。
【００５２】
さらに、上記した各例では、収納壁部３０の各凹所３１，３２，３３を、水平方向で重合しないように、かつ、上下に隣接するように設けた例を示しているが、このような態様に限られない。例えば、複数の凹所の少なくとも一部が水平方向で重合する位置となるように主玄関スペース８側及び補助玄関スペース１０側に向けて開口する複数の凹所を設ける態様としてもよい。例えば、飾り棚状凹所３２は、奥行き寸法を然程必要としないことが考えられるため、飾り棚状凹所３２を設けた部位の補助玄関スペース１０側に収納凹所を設けるようにしてもよい。つまり、収納壁部３０の中段に、主玄関スペース８側及び補助玄関スペース１０側に向けてそれぞれが開口する飾り棚状凹所及び収納凹所を設けた態様としてもよい。
また、上記した各例では、収納壁部３０の主玄関スペース８側に、飾り棚状凹所３２を設けた例を示しているが、このような凹所を主玄関スペース８側に設けずに前面３０ａを略平坦面としてもよい。この場合は、前面３０ａに鏡や絵画等を設けるようにしてもよい。
【００５３】
さらに、上記した各例では、収納壁部３０の上方側に上側空間部２３（２３Ａ）を設けた例を示しているが、上記同様の閉塞部材等によって閉塞したり、または、収納壁部３０自体の高さ寸法を天井６に至るまでの高さ寸法としたりしてもよい。また、家人用開口部２１の上側空間部２３（２３Ａ）も上記同様の閉塞部材等によって閉塞してもよく、または、このような上側空間部自体を設けずに、天井６に付設乃至は埋設するように上枠２５を設ける態様としてもよい。
さらにまた、上記した各例では、引戸４０が家人用開口部２１を閉鎖した状態で引戸４０の下端と補助土間部１４との間に下側空間部２４（２４Ａ）が形成される構造とした例を示しているが、このような態様に限られない。例えば、引戸４０をフロアー部１５の手前側に配置し、その下端面が玄関土間部１３に近接対面する構造とされたものとしてもよい。この場合は、玄関土間部１３や、フロアー部１５の前方側の立ち上り面等に、上記同様の下ガイド部を設けるようにしてもよい。
【００５４】
また、上記した各例では、引戸４０を支持する上枠２５の上レール２６を下向きに開口し、両側板部２６ｂ，２６ｂに、ランナー部材４３の転動部４３ａを転動自在に支持する案内片２６ｃ，２６ｃを連成したものとしているが、このような態様に限られない。例えば、上レール２６は、ランナー部材の形状や構造に応じて、略Ｌ字状とされたものや、横向きに開口した略コ字状（略倒Ｕ字状）とされたものとしてもよい。
さらには、上記した各例では、上吊り構造とされた引戸４０を例示しているが、このような態様に限られず、下荷重構造とされた引戸４０を採用するようにしてもよい。この場合は、引戸４０の上端部に、ランナー部材に代えて、上レール等に係合する案内片やピボット等を設け、また、引戸４０の下端部に戸車を設け、この戸車をガイドする下レール等を玄関土間部１３等に敷設するようにしてもよい。
【００５５】
また、上記した各例では、補助玄関スペース１０の居室側壁部４７，４８側に補助フロアー部１６を設けた例を示しているが、後方側にも補助フロアー部１６を延設するように設けるようにしてもよい。さらには、このような補助フロアー部１６を設けないようにしてもよい。
さらに、上記した各例では、客人用開口部側居室空間９と補助玄関スペース１０とを仕切るとともに、居室出入口４９及び居室側引戸５０を設けた居室側壁部４７，４８を設けた例を示しているが、これらを設けないようにしてもよい。このようなものでも、家人用開口部２１を閉鎖させれば、主玄関スペース８側から補助土間部１４などが視界に入り難くなり、上記したような従来のものと比べて見栄えを向上させることはできる。
【００５６】
さらにまた、上記した各例では、収納壁部３０の前面３０ａの手前側の外側壁体３に玄関出入口４を設けた例を示しているが、他の壁体３，７に玄関出入口４を設ける態様としてもよい。
また、上記した各玄関構造は、戸建住宅の玄関に限られず、集合住宅等の各戸の玄関への適用も可能である。
【符号の説明】
【００５７】
１，１Ａ，１Ｂ，１Ｃ  玄関構造
４                    玄関出入口
６                    天井
８                    主玄関スペース（玄関土間部側空間）
９                    客人用開口部側居室空間（他方の開口部側の居室空間）
１０                  補助玄関スペース（補助土間部側空間、居室空間）
１３                  玄関土間部
１４                  補助土間部
１５                  フロアー部
２１，２１Ａ          家人用開口部（一方の開口部）
２２，２２Ａ          客人用開口部（他方の開口部）
２３，２３Ａ          上側空間部
２４，２４Ａ          下側空間部
２５                  上枠（上レール部材）
３０                  収納壁部
３０ａ                前面（玄関土間部側に向く面）
３２                  飾り棚状凹所
３３                  下段収納凹所（収納凹所）
４０                  引戸
４７，４８            居室側壁部
４９                  居室出入口
５０                  居室側引戸（扉）
５４                  閉塞部材
【図１】
0005728306.tif 000002
【図２】
0005728306.tif 000003
【図３】
0005728306.tif 000004
【図４】
0005728306.tif 000005
【図５】
0005728306.tif 000006
【図６】
0005728306.tif 000007
【図７】
0005728306.tif 000008
【図８】
0005728306.tif 000009